(57)【特許請求の範囲】
【請求項１】
電子装置と接続されたユーザ端末装置において、
前記電子装置と通信を行う通信部と、
前記電子装置に伝送するオーディオソースを処理するオーディオ処理部と、
前記電子装置から受信された標準サウンドに基づいて前記電子装置の基準音量単位を決定し、前記電子装置の基準音量単位に基づいて前記オーディオソースのサウンドレベルを調整し、前記調整されたオーディオソースをストリーミング方式で前記電子装置に伝送するように制御する制御部と
を含み、
前記基準音量単位は、前記電子装置のオーディオ出力端における単位音量に該当する音量であるユーザ端末装置。
【請求項２】
前記オーディオ処理部は、
前記電子装置から受信された標準サウンドのレベルを測定するサウンド測定部を含み、
前記制御部は、
前記サウンド測定部で測定された測定値に基づいて前記基準音量単位を決定し、前記決定された基準音量単位に基づいて前記オーディオソースのサウンドレベルを調整することを特徴とする請求項１に記載のユーザ端末装置。
【請求項３】
ユーザ端末装置と接続された電子装置において、
前記ユーザ端末装置と通信を行う通信部と、
オーディオ信号を出力するオーディオ出力部と、
標準サウンドを前記ユーザ端末装置に伝送し、前記ユーザ端末装置から、前記標準サウンドに応じて決定された前記電子装置の基準音量単位に基づいてサウンドレベルの調整されたオーディオソースをストリーミング方式で受信して出力するように制御する制御部と
を含み、
前記基準音量単位は、前記電子装置のオーディオ出力端における単位音量に該当する音量である電子装置。
【請求項４】
前記制御部は、
前記ユーザ端末装置から前記標準サウンドの測定値に応じて決定された基準音量単位に基づいてサウンドレベルの調整されたオーディオソースを受信することを特徴とする請求項３に記載の電子装置。
【請求項５】
前記制御部は、
前記オーディオソースをＲｅａｌｔｉｍｅ  Ｔｒａｎｓｐｏｒｔ  Ｐｒｏｔｏｃｏｌ（ＲＴＰ）パケット形態で受信し、前記オーディオソースの伝送前に前記標準サウンドをＵｓｅｒ  Ｄａｔａｇｒａｍ  Ｐｒｏｔｏｃｏｌ（ＵＤＰ）パケットを用いて伝送することを特徴とする請求項４に記載の電子装置。
【請求項６】
前記電子装置は、車両のヘッドユニット装置であり、
前記ユーザ端末装置は、モバイル端末であることを特徴とする請求項３に記載の電子装置。
【請求項７】
電子装置と接続されたユーザ端末装置の制御方法において、
前記電子装置から受信された標準サウンドに基づいて前記電子装置の基準音量単位を決定するステップと、
前記電子装置の基準音量単位に基づいてオーディオソースのサウンドレベルを調整するステップと、
前記サウンドレベルの調整されたオーディオソースをストリーミング方式で前記電子装置に伝送するステップと
を含み、
前記基準音量単位は、前記電子装置のオーディオ出力端における単位音量に該当する音量である制御方法。
【請求項８】
前記オーディオソースのサウンドレベルを調整するステップは、
前記電子装置から受信された標準サウンドのレベルを測定するステップと、
前記測定された測定値に基づいて前記基準音量単位を決定し、前記決定された基準音量単位に基づいて前記オーディオソースのサウンドレベルを調整するステップと
を含むことを特徴とする請求項７に記載の制御方法。
【請求項９】
ユーザ端末装置と接続された電子装置の制御方法において、
標準サウンドを前記ユーザ端末装置に伝送するステップと、
前記ユーザ端末装置から、前記標準サウンドに応じて決定された前記電子装置の基準音量単位に基づいてサウンドレベルの調整されたオーディオソースをストリーミング方式で受信するステップと、
前記受信されたオーディオソースを出力するステップと
を含み、
前記基準音量単位は、前記電子装置のオーディオ出力端における単位音量に該当する音量である制御方法。
【発明の詳細な説明】
【技術分野】
【０００１】
本発明は、ユーザ端末装置、電子装置及びその制御方法に関し、より詳細には、コンテンツ共有が可能なユーザ端末装置、電子装置及びその制御方法に関する。
【背景技術】
【０００２】
電子技術の発達により、多様なディスプレイ装置が開発されている。特に、テレビやパソコン、ラップトップコンピュータ、タブレットパソコン、携帯電話、デジタルオーディオプレーヤ等のようなディスプレイ装置は殆どの一般家庭にまで普及されて使用されている。
【０００３】
最近は、より新しくかつ多様な機能を望むユーザのニーズ（ｎｅｅｄｓ）に応えるべく、異種の機器間でもコンテンツを共有することができる方法が開発されている。
【０００４】
一例として、異種の機器間でオーディオストリームを共有する方式があるが、それは１つの機器がオーディオデータを保存している他のデバイスに接近してオーディオデータをデコーディングして出力する方式ではない、オーディオデータを小さいネットワークパケットに盛り込んでリアルタイムで他の機器に伝送する方式を意味する。
このようなオーディオストリームを共有する方式の場合、両機器間の音量レベルを反映してユーザに最適の音量レベルを提供することができる方策が必要になる。
【発明の概要】
【発明が解決しようとする課題】
【０００５】
そこで、本発明は、上記問題に鑑みてなされたものであり、本発明の目的とするところは、オーディオソースが提供される機器のサウンドレベルを考慮し、サウンドレベルの調節されたオーディオソースを提供するユーザ端末装置、電子装置及びその制御方法を提供することにある。
【課題を解決するための手段】
【０００６】
以上のような目的を達成するための本発明の一実施形態によると、電子装置と接続されたユーザ端末装置は、電子装置と通信を行う通信部と、前記電子装置に伝送するオーディオソースを処理するオーディオ処理部と、前記電子装置の基準音量単位に基づいて前記オーディオソースのサウンドレベルを調整し、前記調整されたオーディオソースをストリーミング方式で前記電子装置に伝送するように制御する制御部とを含む。
【０００７】
なお、前記オーディオ処理部は、前記電子装置から受信された標準サウンドのレベルを測定するサウンド測定部を含み、前記制御部は、前記サウンド測定部で測定された測定値に基づいて前記基準音量単位を決定し、前記決定された基準音量単位に基づいて前記オーディオソースのサウンドレベルを調整してよい。
【０００８】
または、前記通信部は、前記オーディオソースを前記電子装置に伝送する前に前記電子装置から伝送される前記基準音量単位を受信し、前記制御部は、前記受信された基準音量単位に基づいて前記オーディオソースのサウンドレベルを調整してよい。
【０００９】
または、機器識別情報を基準音量単位とマッピングして保存する保存部を更に含み、前記制御部は、前記電子装置から識別情報が受信されると、前記保存部で前記識別情報にマッピングされる基準音量単位を検索し、前記検索された基準音量単位に基づいて前記オーディオソースのサウンドレベルを調整してよい。
【００１０】
なお、本発明の一実施形態に係るユーザ端末装置と接続された電子装置は、ユーザ端末装置と通信を行う通信部と、オーディオ信号を出力するオーディオ出力部と、前記ユーザ端末装置から、前記電子装置の基準音量単位に基づいてサウンドレベルの調整されたオーディオソースをストリーミング方式で受信して出力するように制御する制御部とを含む。
【００１１】
この場合、前記制御部は、前記基準音量単位を決定する標準サウンドを前記ユーザ端末装置に伝送し、前記ユーザ端末装置から前記標準サウンドの測定値に応じて決定された基準音量単位に基づいてサウンドレベルの調整されたオーディオソースを受信してよい。
【００１２】
ここで、前記制御部は、前記オーディオソースをＲＴＰパケット形態で伝送し、前記オーディオソース伝送前に前記標準サウンドをＵＤＰパケットを用いて伝送してよい。
【００１３】
または、前記基準音量単位を保存する保存部を更に含み、前記制御部は、前記保存部に保存された前記基準音量単位を前記ユーザ端末装置に伝送し、前記ユーザ端末装置から前記基準音量単位に基づいてサウンドレベルの調整されたオーディオソースを受信してよい。
【００１４】
または、前記制御部は、前記電子装置の識別情報を前記ユーザ端末装置に伝送し、前記ユーザ端末装置から前記識別情報によって決定された基準音量単位に基づいてサウンドレベルの調整されたオーディオソースを受信してよい。
ここで、前記電子装置は、車両のヘッドユニット装置であり、前記ユーザ端末装置は、モバイル端末であってよい。
【００１５】
一方、本発明の一実施形態に係る電子装置と接続されたユーザ端末装置の制御方法は、電子装置と通信を行うステップと、前記電子装置の基準音量単位に基づいてオーディオソースのサウンドレベルを調整するステップと、前記サウンドレベルの調整されたオーディオソースをストリーミング方式で前記電子装置に伝送するステップとを含む。
【００１６】
この場合、前記オーディオソースのサウンドレベルを調整するステップは、前記電子装置から受信された標準サウンドのレベルを測定するステップと、前記測定された測定値に基づいて前記基準音量単位を決定し、前記決定された基準音量単位に基づいて前記オーディオソースのサウンドレベルを調整するステップとを含んでよい。
【００１７】
または、前記オーディオソースのサウンドレベルを調整するステップは、前記電子装置から伝送される前記基準音量単位を受信するステップと、前記受信された基準音量単位に基づいて前記オーディオソースのサウンドレベルを調整するステップとを更に含んでよい。
【００１８】
または、前記オーディオソースのサウンドレベルを調整するステップは、前記電子装置から識別情報を受信するステップと、前記識別情報にマッピングされる基準音量単位を検索するステップと、前記検索された基準音量単位に基づいて前記オーディオソースのサウンドレベルを調整するステップとを更に含んでよい。
【００１９】
なお、本発明の一実施形態に係るユーザ端末装置と接続された電子装置の制御方法は、ユーザ端末装置と通信を行うステップと、前記ユーザ端末装置から前記電子装置の基準音量単位に基づいてサウンドレベルの調整されたオーディオソースをストリーミング方式で受信するステップと、前記受信されたオーディオソースを出力するステップとを含む。
【００２０】
この場合、前記基準音量単位を決定する標準サウンドを前記ユーザ端末装置に伝送するステップを更に含み、前記オーディオソースを受信するステップは、前記標準サウンドの測定値に応じて決定された基準音量単位に基づいてサウンドレベルの調整されたオーディオソースを受信してよい。
【００２１】
ここで、前記オーディオソースを受信するステップは、前記オーディオソースをＲＴＰパケット形態で伝送し、前記ユーザ端末装置に伝送するステップは、前記オーディオソース伝送前に前記標準サウンドをＵＤＰパケットを用いて伝送してよい。
【００２２】
または、予め保存された前記基準音量単位を前記ユーザ端末装置に伝送するステップを更に含み、前記オーディオソースを受信するステップは、前記伝送された基準音量単位に基づいてサウンドレベルの調整されたオーディオソースを受信してよい。
【００２３】
または、前記電子装置の識別情報を前記ユーザ端末装置に伝送するステップを更に含み、前記オーディオソースを受信するステップは、前記識別情報によって決定された基準音量単位に基づいてサウンドレベルの調整されたオーディオソースを受信してよい。
ここで、前記電子装置は、車両のヘッドユニット装置であり、前記ユーザ端末装置は、モバイル端末であってよい。
【発明の効果】
【００２４】
以上説明したように、本発明によれば、異種の機器間でオーディオストリーム共有時に発生し得るオーディオショック（ｓｈｏｃｋ）問題を解決することができるようになる。例えば、受信されたオーディオストリームの音量単位が出力機器の音量単位より大きいがためにユーザの期待値より高い音が出力される場合等を防止することができるようになる。
【図面の簡単な説明】
【００２５】
【図１】本発明の一実施形態に係るコンテンツ共有システムの構成を説明するための図である。
【図２Ａ】本発明の一実施形態に係るユーザ端末装置の構成を示すブロック図である。
【図２Ｂ】本発明の実施形態によって図２Ａに示されたユーザ端末装置のようにユーザ端末装置の細部構成を例示して示すブロック図である。
【図３】図２に示す保存部に保存されたソフトウェア構成を説明するための図である。
【図４】図２に示すオーディオ処理部のようなオーディオ処理部の一実施形態に係る細部構成を説明するための図である。
【図５】本発明の一実施形態に係る標準サウンド伝送方法を説明するためのシーケンス図である。
【図６Ａ】本発明の一実施形態に係る電子装置の構成を示すブロック図である。
【図６Ｂ】本発明の一実施形態によって図６Ａに示された電子装置のような電子装置の細部構造を例示して示すブロック図である。
【図７】本発明の別の実施形態に係るコンテンツ共有システムの構成を説明するための図である。
【図８】本発明の一実施形態に係るユーザ端末装置の制御方法を説明するためのフローチャートである。
【図９】本発明の一実施形態に係る電子装置の制御方法を説明するためのフローチャートである。
【図１０】本発明の一実施形態に係るユーザ端末装置及び電子装置間の動作を説明するためのシーケンス図である。
【発明を実施するための形態】
【００２６】
以下に添付図面を参照しながら、本発明の好適な実施形態について詳細に説明する。
図１は、本発明の一実施形態に係るコンテンツ共有システムの構成を説明するための図である。
図１に示すように、コンテンツ共有システムはユーザ端末装置１００及び電子装置２００を含む。
【００２７】
ユーザ端末装置１００は、携帯電話、Ｐｅｒｓｏｎａｌ  Ｄｉｇｉｔａｌ  Ａｓｓｉｓｔａｎｔ（ＰＤＡ）、パソコン、ノートパソコン、タブレットパソコン、デジタルオーディオプレーヤ等のような多様な装置で実現されてよい。
【００２８】
特に、ユーザ端末装置１００は、電子装置２００と通信を行ってビデオコンテンツ、オーディオコンテンツのような多様なコンテンツを電子装置２００に伝送することができる。
【００２９】
この場合、電子装置２００は、ユーザ端末装置１００から受信されたコンテンツをディスプレイ部またはスピーカ等を介して出力する機能を担う。特に、電子装置２００は、ユーザ端末装置１００からリアルタイムでストリーミングされるコンテンツを出力することができる。
【００３０】
本発明の一実現例によると、ユーザ端末装置１００及び電子装置２００はそれぞれスマートフォン及び車両インフォテイメント（Ｉｎｆｏｔａｉｎｍｅｎｔ）システムの接続をサポートするミラーリンク（Ｍｉｒｒｏｒ  Ｌｉｎｋ）技術を採用することができる。ここで、ミラーリンクは、Ｖｅｈｉｃｌｅ  Ａｒｅａ  Ｎｅｔｗｏｒｋ（ＶＮＣ）プロトコル基盤のビデオ、オーディオ、コントロール伝送をサポートする標準規格を意味し、車両インフォテイメントシステムは、ヘッドユニット、後部座席エンターテイメント機器、ラジオ、ナビゲーション等のような多様な車両用システムであってよい。
【００３１】
すなわち、ミラーリンク技術を適用すると、スマートフォンにインストールされたアプリや通信サービスを車両インフォテイメントシステム、例えば、ヘッドユニットで使用することができる。例えば、ウェブブラウジング、ナビゲーション、マルチメディア再生、電話通話等、スマートフォンの主な機能をヘッドユニットで実現することができる。具体的に、ミラーリンク技術によると、スマートフォンがサーバ役割をして全てのアプリケーションのインストールと運用とをスマートフォンが担い、自動車ヘッドユニットは一種のクライアントとして動作するようになる。一方、ミラーリンクを車両のインフォテイメントシステムに実現するためには、車両のインフォテイメントとスマートフォンとの両方が「ミラーリンク」を提供しなければならない。その他に、ミラーリンクに対する説明は、公知技術となっているため省略する。
【００３２】
ただ、それに限定されるものではなく、本発明に係るユーザ端末装置１００及び電子装置２００は異種の機器を接続し、オーディオコンテンツを他の機器に伝送して他の機器から出力するようにする多様なシステムに適用されてよい。
一方、ユーザ端末装置１００は、電子装置２００にストリーミング方式でオーディオソースを提供することができる。
【００３３】
具体的に、ユーザ端末装置１００は電子装置２００の基準音量単位に基づいてオーディオソースのサウンドレベルを調整し、調整されたオーディオソースを電子装置２００にストリーミングすることができる。ここで、基準音量単位は、電子装置２００のオーディオ出力端における単位音量（ＶＵまたはｄＢ（デシベル））、例えば、音量レベル１に該当する音量であってよい。
【００３４】
電子装置２００は、ユーザ端末装置１００から電子装置２００の基準音量単位に基づいてサウンドレベルに基づいてサウンドレベルの調整されたオーディオソースをストリーミング受けて出力することができる。
以下では、ユーザ端末装置１００でオーディオソースのサウンドレベルを調整する方法及びそれによる電子装置２００の動作について詳細に説明する。
図２は、本発明の一実施形態に係るユーザ端末装置の構成を示すブロック図である。
図２Ａに示す構成によると、ユーザ端末装置１００は、通信部１１０と、オーディオ処理部１２０及び制御部１３０を含む。
通信部１１０は、電子装置２００と通信を行う。制御部１３０は、ユーザ端末装置１００の動作を制御する。
【００３５】
具体的に、通信部１１０は、Ｗｉ−Ｆｉ（Ｗｉｒｅｌｅｓｓ  Ｆｉｄｅｌｉｔｙ）、ブルートゥース（ｂｌｕｅｔｏｏｔｈ）、ＵＳＢ（Ｕｎｉｖｅｒｓａｌ  Ｓｅｒｉａｌ  Ｂｕｓ）等、多様な有無線通信方式によって電子装置２００と通信を行うことができる。
【００３６】
オーディオ処理部１２０は、電子装置２００にストリーミングするオーディオソースのサウンドレベルを調整する。ここで、オーディオソースは、ユーザ端末装置１００に予め保存されていたり、ユーザ端末装置１００の外部から受信されたオーディオコンテンツであってよい。
【００３７】
具体的に、オーディオ処理部１２０は、制御部１３０の制御に応じて、電子装置２００にストリーミングするオーディオソースを処理することができる。具体的に、電子装置２００にストリーミングするオーディオソースのサウンドレベルを制御部１３０によって決定された基準音量単位に基づいて調整することができる。例えば、オーディオ処理部１２０は音量統一化（Ｓｏｕｎｄ  Ｖｏｌｕｍｅ  Ｎｏｒｍａｌｉｚｉｎｇ）モジュールを具備して電子装置２００に出力されるオーディオソースのサウンドレベルを決定された基準音量単位と同一になるようにノーマライジング（ｎｏｒｍａｌｉｚｉｎｇ）することができる。ここで、ノーマライジングとは、オーディオソースの音量単位を基準音量単位のエネルギーレベルに合わせるという意味であり、オーディオソースの変化量（ｖａｒｉａｔｉｏｎ）は保持されてよい。例えば、基準音量単位が５ｄＢであり、オーディオソースの音量単位が１０ｄＢである場合、オーディオソースの音量単位を５ｄＢに調整することができる。
制御部１３０は、ユーザ端末装置１００の動作全般を制御する機能を担う。
【００３８】
特に、制御部１３０は、電子装置２００の基準音量単位に基づいてオーディオソースのサウンドレベルを調整して電子装置２００にストリーミングするように通信部１１０及びオーディオ処理部１２０を制御することができる。ここで、サウンドレベルの調整とは、同一の音量レベルに調整が困難な場合、最も近いレベルに調整する場合まで含む。
【００３９】
この場合、電子装置２００の基準音量単位は下記のような多様な方式で獲得することができる。すなわち、標準サウンドが電子装置２００から受信される第１の方法、電子装置２００から基準音量単位が受信される第２の方法、識別情報が電子装置２００から受信される第３の方法のうち、少なくとも１つの方法によって獲得されることができる。
【００４０】
ｉ）電子装置２００から標準サウンドを受信する場合
ユーザ端末装置１００は、電子装置２００からオーディオソースをストリーミングする前に電子装置２００の基準音量単位を決定するための標準サウンドを受信することができる。ここで、標準サウンドとは、電子装置２００の単位音量、すなわち、音量レベル１に該当する音響であってよく、例えば、ビープ（ｂｅｅｐ）音のように一定の音の大きさを有する音響であってよい。
この場合、オーディオ処理部１２０は、電子装置２００から受信された標準サウンドのレベルを測定するためのサウンド測定部を含んでよい。
【００４１】
それにより、制御部１３０は、サウンド測定部で測定された測定値に基づいて電子装置２００の基準音量単位を決定し、決定された基準音量単位に基づいてオーディオソースのサウンドレベルを調整することができる。
【００４２】
ii）電子装置２００から基準音量単位を受信する場合
電子装置２００が自分の基準音量単位を知っている場合、ユーザ端末装置１００は電子装置２００から基準音量単位を受信することができる。この場合、ユーザ端末装置１００では標準サウンドを受信して測定する必要がなくなる。
この場合、制御部１３０は、電子装置２００から受信された基準音量単位に基づいてオーディオソースのサウンドレベルを調整することができる。
【００４３】
iii）電子装置２００から識別情報を受信する場合
ユーザ端末装置２００が機器識別情報を基準音量単位とマッピングして保存している場合、電子装置２００から識別情報のみを受信することもできる。例えば、ユーザ端末装置１００と電子装置２００とが従来に上述のi）及びii）による方式で通信を行ってユーザ端末装置１００に電子装置２００の基準音量単位が保存されている場合がそれに該当されてよい。
【００４４】
この場合、制御部１３０は、電子装置２００から識別情報が受信されると、受信された識別情報にマッピングされる基準音量単位を検索し、検索された基準音量単位に基づいてオーディオソースのサウンドレベルを調整することができる。
【００４５】
ただ、上述の実施形態においては、オーディオ処理部１２０が制御部１３０と別途に具備された構成要素であるとして説明したが、それは一実施形態に過ぎず、オーディオ処理部１２０は制御部１３０に統合された形態で実現されることも可能である。すなわち、本発明の一実施形態によって電子装置２００にストリーミングするオーディオソースのサウンドレベルを調整する構成は制御部１３０の一構成で実現されてよい。
【００４６】
一方、ユーザ端末装置１００と電子装置２００とのオーディオストリーミングにはＲＴＰ（Ｒｅａｌｔｉｍｅ  Ｔｒａｎｓｐｏｒｔ  Ｐｒｏｔｏｃｏｌ）／ＲＴＣＰ（ＲＴＰ  Ｃｏｎｔｒｏｌ  Ｐｒｏｔｏｃｏｌ）プロトコルが用いられてよいが、リアルタイム通信をサポートするプロトコルをサポートするプロトコルなら、それに限定されずに適用可能である。
【００４７】
ＲＴＰ／ＲＴＣＰプロトコルによると、オーディオまたはビデオソースをサンプリングしてデジタル形式に変換した後、サンプリングされたデータをＲＴＰパケットにカプセル化し、ＲＴＰパケットはＵＤＰ（Ｕｓｅｒ  Ｄａｔａｇｒａｍ  Ｐｒｏｔｏｃｏｌ）のようなネットワーク伝送プロトコルにカプセル化される。次いで、ネットワーク伝送プロトコルがＩＰパケットにカプセル化され、再び連結階層プロトコルにカプセル化して伝送されてよい。
【００４８】
すなわち、ユーザ端末装置１００は、電子装置２００の基準音量単位に応じてサウンドレベルの調整されたオーディオソースをリアルタイムでエンコーディングし、ＲＴＰプロトコルを適用してＲＴＰパケットの形態に電子装置２００に伝送することができる。この場合、電子装置２００は受信されたＲＴＰパケットをデコーディングしてＲＴＰプロトコルで指定した順に沿ってバッファに保存した後、出力するようになる。
【００４９】
図２Ｂは、図２Ａに示すユーザ端末装置の一実施形態に係る細部構成を示すブロック図である。図２Ｂによると、ユーザ端末装置１００は、通信部１１０と、オーディオ処理部１２０と、制御部１３０と、保存部１４０と、ディスプレイ部１５０と、ビデオ処理部１６０と、ユーザインターフェース部１７０と、スピーカ１８０と、ボタン１９１と、カメラ１９２及びマイク１９３を含む。図２Ｂに示す構成要素のうち、図２Ａに示す構成要素と重複する部分については、詳細な説明を省略する。
【００５０】
ただ、図２Ｂは、ユーザ端末装置１００に含まれた細部構成の一例を挙げたものとして、実施形態によっては、図２Ｂに示す構成要素のうちの一部は省略または変更されてよく、他の構成要素が更に追加されてよい。例えば、ＧＰＳ（Ｇｌｏｂａｌ  Ｐｏｓｉｔｉｏｎｉｎｇ  Ｓｙｓｔｅｍ）衛星からＧＰＳ信号を受信し、ユーザ端末装置１００の現在位置を算出するためのＧＰＳ受信部（図示せず）、ＤＭＢ（Ｄｉｇｉｔａｌ  Ｍｕｌｔｉｍｅｄｉａ  Ｂｒｏａｄｃａｓｔｉｎｇ）信号を受信して処理するＤＭＢ受信部（図示せず）等を更に含んでよい。
【００５１】
通信部１１０は、多様な通信方式に応じて多様な類型の外部機器と通信を行う構成である。通信部１１０は、Ｗｉ−Ｆｉチップ１１１と、ブルートゥースチップ１１２と、無線通信チップ１１３及びＵＳＢチップ１１４等の多様な通信チップを含む。
【００５２】
Ｗｉ−Ｆｉチップ１１１及びブルートゥースチップ１１２は、それぞれＷｉ−Ｆｉ方式、ブルートゥース方式で通信を行う。無線通信チップ１１３は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）、ＺｉｇＢｅｅ、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な通信規格によって通信を行うチップを意味する。ＵＳＢチップ１１４は、ＵＳＢケーブルを通じて各種外部装置と通信を行うか、充電等を行うことができる。その他に、通信部１１０は、１３５ｋＨｚ、１３．５６ＭＨｚ、４３３ＭＨｚ、８６０〜９６０ＭＨｚ、２．４５ＧＨｚ等のような多様なＲＦ−ＩＤ周波数帯域の中で１３．５６ＭＨｚ帯域を使用するＮＦＣ（Ｎｅａｒ  Ｆｉｅｌｄ  Ｃｏｍｍｕｎｉｃａｔｉｏｎ）方式で動作するＮＦＣチップを更に含んでよい。
オーディオ処理部１２０は、上述のように電子装置２００にストリーミングされるオーディオソースに対する処理を行うことができる。
なお、オーディオ処理部１２０では、多様なオーディオ信号に対するデコーディングや増幅、ノイズフィルタリング等のような処理を行うことができる。
【００５３】
上述の制御部１３０の動作は、保存部１４０に保存されたプログラムによって行われてよい。保存部１４０には、ユーザ端末装置１００を駆動させるためのＯ／Ｓ（Ｏｐｅｒａｔｉｎｇ  Ｓｙｓｔｅｍ）ソフトウェアモジュール、各種アプリケーション、アプリケーション実行中に入力されたり設定される各種データ、コンテンツ等のように多様なデータが保存されてよい。
【００５４】
特に、本発明の一実施形態によって、保存部１４０は外部機器の識別情報別にマッチングされた基準音量単位に対する情報を保存することができる。具体的に、保存部１４０は、電子装置２００の識別情報を基準音量単位とマッピングして保存することができる。例えば、“ｄｅｖｉｃｅ  ００１”＝“ｒｅｆｅｒｅｎｃｅ  ｖｏｌｕｍｅ：１ｄＢ”形態でマッピングされた情報を保存することができる。このような情報は、上記において言及した場合のように、既存にオーディオデータ伝送が行われた場合に基づいて保存されてよいが、関連サーバ（図示せず）で当該情報を受信して保存することも可能である。例えば、該当情報を管理するサービス提供サーバ（例えば、電子製品提供者サーバ）で予め設けられたマッピング情報を受信して保存することも可能である。この場合、同一の商品の場合にも、バージョン別に異なるマッピング情報が保存され得ることは勿論である。
なお、保存部１４０は、電子装置２００にストリーミングする多様なオーディオソースを保存していてよい。
その他に、保存部１４０に保存される多様なソフトウェアモジュールに対しては、図３を参照して後述する。
【００５５】
ディスプレイ部１５０は画面をディスプレイする。ここで、画面は、イメージ、動画、テキスト等のような多様な客体を含むアプリケーション実行画面、ＧＵＩ（Ｇｒａｐｈｉｃ  Ｕｓｅｒ  Ｉｎｔｅｒｆａｃｅ）画面等を含んでよい。
ビデオ処理部１６０は、ビデオデータに対する処理を行う構成要素である。
【００５６】
例えば、ビデオ処理部１６０は、電子装置２００からストリーミングするビデオデータに対するエンコーディング、スケーリング、ノイズフィルタリング、フレームレート変換、解像度変換等のような多様なイメージ処理を行うことができる。
【００５７】
ユーザインターフェース部１７０は、多様なユーザ命令を受信する。例えば、ユーザインターフェース部１７０は、電子装置２００と通信を行うためのユーザ命令等を受信してよい。
スピーカ１８０は、オーディオ処理部１２０で処理された各種オーディオデータだけでなく、各種報知音や音声メッセージ等を出力する構成要素である。
【００５８】
ボタン１９１は、ユーザ端末装置１００の本体外観の前面部や側面部、背面部等の任意の領域に形成された機械的なボタン、タッチパッド、ホイール等のような多様な類型のボタンであってよい。例えば、ユーザ端末装置１００の電源をＯＮ／ＯＦＦするためのボタンが設けられてよい。ここで、ボタン１９１の番号（ｎｕｍｂｅｒ）はユーザ端末装置１００に提供されてよい。
【００５９】
カメラ１９２は、ユーザの制御に応じて、静止画像または動画を撮像するための構成である。カメラ１９２は、前面カメラ、後面カメラのように複数個で実現されてよい。
【００６０】
マイク１９３は、ユーザ音声やその他の音を受信してオーディオデータに変換するための構成である。制御部１３０は、マイク１９３を介して入力されたユーザ音声を通話（ｃａｌｌ）過程で利用したり、オーディオデータに変換して保存部１４０に保存することができる。
【００６１】
カメラ１９２及びマイク１９３が設けられた場合、制御部１３０はマイク１９３を介して入力されるユーザ音声やカメラ１９２によって認識されるユーザモーションによって制御動作を行うこともできる。すなわち、ユーザ端末装置１００は、モーション制御モードや音声制御モードで動作することができる。モーション制御モードで動作する場合、制御部１３０はカメラ１９２を活性化させてユーザを撮像し、ユーザのモーション変化を追跡してそれに対応する制御動作を行う。音声制御モードで動作する場合、制御部１３０はマイクを介して入力されたユーザ音声を分析し、分析されたユーザ音声に応じて制御動作を行う音声認識モードで動作することもできる。
その他に、ヘッドセット、マウス、ＬＡＮ等のような多様な外部単位と接続するための多様な外部入力ポートが更に含まれてよい。
一方、制御部１３０は、保存部１４０に保存された各種プログラムを用いてユーザ端末装置１００の動作全般を制御する。
【００６２】
例えば、制御部１３０は、保存部１４０に保存されたアプリケーションを実行させてその実行画面を構成してディスプレイすることもでき、保存部１４０に保存された各種コンテンツを再生することもできる。なお、制御部１３０は、通信部１１０を介して電子装置２００と通信を行うこともできる。
【００６３】
具体的に、制御部１３０は、ＲＡＭ１３１、ＲＯＭ１３２、メインＣＰＵ１３３、グラフィック処理部１３４、第１ないしｎインターフェース１３５−１〜１３５−ｎ、バス１３６を含む。
【００６４】
ＲＡＭ１３１、ＲＯＭ１３２、メインＣＰＵ１３３、グラフィック処理部１３４、第１ないしｎインターフェース１３５−１〜１３５−ｎ等は、バス１３６を介して相互接続されてよい。
【００６５】
第１ないしｎインターフェース１３５−１〜１３５−ｎは、上述の各種構成要素と接続される。インターフェースのうちの１つは、ネットワークを通じて電子装置２００と接続されるネットワークインターフェースであってよい。
【００６６】
メインＣＰＵ１３３は、保存部１４０にアクセスし、保存部１４０に保存されたＯ／Ｓを用いてブートを行う。そして、保存部１４０に保存された各種プログラム、コンテンツ、データ等を用いて多様な動作を行う。
【００６７】
ＲＯＭ１３２には、システムブートのための命令語セット等が保存される。ターンオン命令が入力されて電源が供給されると、メインＣＰＵ１３３は、ＲＯＭ１３２に保存された命令語に応じて保存部１４０に保存されたＯ／ＳをＲＡＭ１３１にコピーし、Ｏ／Ｓを実行させてシステムをブートさせる。ブートが完了すると、メインＣＰＵ１３３は保存部１４０に保存された各種アプリケーションプログラムをＲＡＭ１３１にコピーし、ＲＡＭ１３１にコピーされたアプリケーションプログラムを実行させて各種動作を行う。
【００６８】
グラフィック処理部１３４は、演算部（図示せず）及びレンダリング部（図示せず）を用いて、アイコン、イメージ、テキスト等のような多様な客体を含む画面を生成する。
図３は、本発明の実施形態によって、図２Ｂに示す保存部１４０のような保存部に保存されたソフトウェア構成を説明するための図である。
【００６９】
図３によると、保存部１４０には、ベースモジュール１４１と、センシングモジュール１４２と、通信モジュール１４３と、プレゼンテーションモジュール１４４と、ウェブブラウザモジュール１４５及びサービスモジュール１４６を含むソフトウェアが保存されてよい。
【００７０】
ベースモジュール１４１とは、ユーザ端末装置１００に含まれた各ハードウェアから伝達される信号を処理し、上位レイヤモジュールに伝達する基礎モジュールを意味する。ベースモジュール１４１は、ストレージモジュール１４１−１と、セキュリティモジュール１４１−２及びネットワークモジュール１４１−３等を含む。ストレージモジュール１４１−１とは、データベース（ＤＢ）やレジストリを管理するプログラムモジュールである。メインＣＰＵ１３３は、ストレージモジュール１４１−１を用いて保存部１４０内のデータベースにアクセスし、各種データを読み取ることができる。セキュリティモジュール１４１−２とは、ハードウェアに対する認証（Ｃｅｒｔｉｆｉｃａｔｉｏｎ）、要求許容（Ｐｅｒｍｉｓｓｉｏｎ）、セキュリティ保存（Ｓｅｃｕｒｅ  Ｓｔｏｒａｇｅ）等をサポートするプログラムモジュールであり、ネットワークモジュール１４１−３とは、ネットワーク接続をサポートするためのモジュールとして、ＤＮＥＴモジュールやＵＰｎＰモジュール等を含む。
【００７１】
センシングモジュール１４２は、各種センサから情報を収集し、収集された情報を分析及び管理するモジュールである。センシングモジュール１４２は、顔認識モジュール、音声認識モジュール、タッチ認識モジュール、ジェスチャ認識モジュールを含んでよい。更に、センシングモジュール１４２は、顔認識モジュール、モーション認識モジュール、ＮＦＣ認識モジュール等を含んでよい。  
【００７２】
通信モジュール１４３は、ユーザ端末装置１００の外部と通信を行うためのモジュールである。通信モジュール１４３は、メッセンジャプログラム、ＳＭＳ（Ｓｈｏｒｔ  Ｍｅｓｓａｇｅ  Ｓｅｒｖｉｃｅ）＆ＭＭＳ（Ｍｕｌｔｉｍｅｄｉａ  Ｍｅｓｓａｇｅ  Ｓｅｒｖｉｃｅ）プログラム、Ｅメールプログラム等のようなメッセージングモジュール１４３−１と、電話情報収集器（Ｃａｌｌ  Ｉｎｆｏ  Ａｇｇｒｅｇａｔｏｒ）プログラムモジュール、ＶｏＩＰモジュール等を含む電話モジュール１４３−２を含んでよい。
【００７３】
プレゼンテーションモジュール１４４は、ディスプレイ画面を構成するためのモジュールである。プレゼンテーションモジュール１４４は、マルチメディアコンテンツを再生して出力するためのマルチメディアモジュール１４４−１と、ＵＩ及びグラフィック処理を行うＵＩレンダリングモジュール１４４−２を含む。マルチメディアモジュール１４４−１は、プレーヤモジュールやカムコーダーモジュール、サウンド処理モジュール等を含んでよい。それにより、各種マルチメディアコンテンツを再生して、画面及び音響を生成して再生する動作を行う。ＵＩレンダリングモジュール１４４−２は、イメージを組み合わせるイメージ合成器（Ｉｍａｇｅ  Ｃｏｍｐｏｓｉｔｏｒ  Ｍｏｄｕｌｅ）、イメージをディスプレイする画面上の座標を組み合わせて生成する座標組み合わせモジュール、ハードウェアから各種イベントを受信するＸ１１モジュール、２Ｄまたは３Ｄ形態のＵＩを構成するためのツール（Ｔｏｏｌ）を提供する２Ｄ／３Ｄ  ＵＩツールキット等を含んでよい。
【００７４】
ウェブブラウザモジュール１４５は、ウェブブラウジングを行ってウェブサーバにアクセスするモジュールを意味する。ウェブブラウザモジュール１４５は、ウェブページを構成するウェブビュー（ｗｅｂ  ｖｉｅｗ）モジュール、ダウンロードを行うダウンロードエージェントモジュール、ブックマークモジュール、ウェブキット（Ｗｅｂｋｉｔ）モジュール等のような多様なモジュールを含んでよい。
【００７５】
サービスモジュール１４６は、多様なサービスを提供するための各種アプリケーションを含むモジュールである。具体的には、サービスモジュール１４６は、ナビゲーションプログラム、コンテンツ再生プログラム、ゲームプログラム、電子書籍プログラム、カレンダープログラム、アラーム管理プログラム、その他のウィジェット等のような多様なプログラムモジュールを含んでよい。
【００７６】
図３においては、多様なプログラムモジュールを示しているが、図示の各種プログラムモジュールはユーザ端末装置１００の種類及び特性に応じて一部省略されたり変形または追加され得ることは勿論である。仮に、ＧＰＳチップのようなハードウェアと連動して位置基盤サービスをサポートする位置基盤モジュールを更に含む形態で実現されてよい。
図４は、図２に示すオーディオ処理部１２０のようなオーディオ処理部の一実施形態に係る細部構成を説明するための図である。
【００７７】
図４によると、オーディオ処理部１２０は、デパケッタイジング部１２１と、ペイロード分析部１２２と、サウンド測定部１２３及びサウンド調整部１２４を含む。
【００７８】
デパケッタイジング部１２１は、受信されたパケット、例えば、ＵＤＰパケットをデパケッタイジングする。具体的に、デパケッタイジング部１２１は電子装置２００から受信された標準サウンドを含むパケットを受信してデパケッタイジングする。
ペイロード分析部１２２は、デパケッタイジングされたパケットのペイロード領域を分析し、ペイロード領域に含まれた標準サウンドを抽出する。
【００７９】
サウンド測定部１２３は、ペイロード分析部１２２から抽出された標準サウンドのレベルを測定する。例えば、サウンド測定部１２３は、サウンド測定が可能なＶＵ  ｍｅｔｅｒ（ｖｏｌｕｍｅ  Ｕｎｉｔ、ＶＵメータ）を含む形態で実現されてよい。それにより、サウンド測定部１２３は、ＶＵ  ｍｅｔｅｒを用いて音を伝える電気信号の強度を人の感じる音量（音圧レベル）に比例するようにｄＢ単位で測定することができる。
【００８０】
サウンド調整部１２４は、サウンド測定部１２３で測定されたサウンドレベルに基づいて電子装置２００にストリーミングするオーディオソースのサウンドレベルを調整することができる。具体的に、サウンド調整部１２４は、上述のように、音量統一化モジュールを備えて電子装置２００に出力されるオーディオソースのサウンドレベルを基準音量単位と同様にノーマライジング（ｎｏｒｍａｌｉｚｉｎｇ）することができる。
この場合、オーディオソースはデジタル化、圧縮等パケット基盤ネットワームを通じた伝送に合わせて最適化されて伝送されてよい。
【００８１】
一方、上述のように、オーディオ処理部１２０は、制御部１３０と別途に実現されずに、オーディオ処理部１２０の機能が制御部１３０の一機能として実現されることも可能である。
図５は、本発明の一実施形態に係る標準サウンド伝送方法を説明するためのシーケンス図である。
【００８２】
図５に示すように、本発明の一実施形態によって標準サウンドはＲＴＰ／ＲＴＣＰプロトコルを用いて伝送されてよい。ただ、それは一実施形態に過ぎず、オーディオデータ伝送が可能なプロトコルなら限定されずに適用可能である。
【００８３】
一実施形態によってＲＴＰ／ＲＴＣＰプロトコルに伴う場合、ユーザ端末装置１００はＲＴＰサーバで動作し、電子装置２００はＲＴＰクライアントで動作するようになる。
【００８４】
まず、ＲＴＰサーバ、すなわち、ユーザ端末装置１００はＲＴＰクライアント、すなわち、電子装置２００からＵＤＰパケットが受信されることを待ち受ける（Ｓ５１０）。
【００８５】
電子装置２００は、ユーザ端末装置１００に割り当てられたポートナンバー及びＩＰアドレスに１バイトのＵＤＰパケットを伝送する（Ｓ５２０）。それは、ＲＴＰパケットは、ＵＤＰという輸送プロトコル上で実行され、ＲＴＰサーバはＲＴＰクライアントからＵＤＰパケットを受信しなければ、ＲＴＰクライアントのポートを決定することができないためである。ここで、ＲＴＰサーバのＩＰアドレスは、ＴｍＡｐｐｌｉｃａｔｉｏｎＳｅｒｖｅｒ  ＵＰｎＰ  ｓｅｒｖｉｃｅを通じて獲得され得るが、それに対する詳細な説明は省略する。
【００８６】
その後、１バイトのＵＤＰパケットをユーザ端末装置１００に伝送した電子装置２００は、ユーザ端末装置１００からＲＴＰパケットを受信する用意をするようになる（Ｓ５３０）。
ユーザ端末装置１００は、１バイトのＵＤＰパケットを受信すると、電子装置２００のポートナンバー及びＩＰアドレスを任意に決定する（Ｓ５４０）。
それにより、ユーザ端末装置１００は、電子装置２００にオーディオソースをストリーミングすることができるようになる（Ｓ５５０）。
【００８７】
一方、ユーザ端末装置１００に伝送される１バイトのＵＤＰパケットはポート決定のために伝送されるものであり、実際には意味のない任意の値を有するようになるが、本発明では当該ＵＤＰパケットのペイロード領域に電子装置２００の基準音量単位を決定するための標準サウンドを含めて伝送することができる。それにより、既存の伝送プロトコルと互換性をなしつつ、電子装置２００の基準音量単位を決定するための標準サウンドを伝送するようになる。
ただ、それは本発明の一実施形態によるものであり、本発明の別の実施形態によると、当該ＵＤＰパケットを用いずに標準サウンドを伝送することも可能である。
【００８８】
なお、上述の実施形態では、基準音量単位を決定するための標準サウンドをＵＤＰパケットを介して伝送するものとして説明したが、本発明の別の実施形態によって電子装置２００が基準音量単位を伝送する場合にも当該ＵＤＰパケットを用いることができることは勿論である。
【００８９】
一方、電子装置２００は、識別情報の場合、通信接続時に既にユーザ端末装置１００が知っている可能性が高いため、別途に伝送されなくてよいが、場合によってはＵＤＰパケットを用いて伝送することができることは勿論である。
図６は、本発明の一実施形態に係る電子装置の構成を示すブロック図である。
図６Ａに示す構成によると、電子装置２００は、通信部２１０と、オーディオ出力部２２０及び制御部２３０を含む。
通信部２１０は、ユーザ端末装置１００と通信を行う。
【００９０】
具体的に、通信部２１０は、Ｗｉ−Ｆｉ（Ｗｉｒｅｌｅｓｓ  Ｆｉｄｅｌｉｔｙ）、ブルートゥース（ｂｌｕｅｔｏｏｔｈ）、ＵＳＢ（Ｕｎｉｖｅｒｓａｌ  Ｓｅｒｉａｌ  Ｂｕｓ）等、多様な有無線通信方式によってユーザ端末装置１００と通信を行うことができる。
【００９１】
オーディオ出力部２２０は、多様なオーディオ信号を出力する。特に、オーディオ出力部２２０は、ユーザ端末装置１００からストリーミング方式で受信されたオーディオ信号を出力することができる。この場合、オーディオ出力部２２０は、スピーカで実現されてよいが、それに限定されるものではなく、イヤホン等と接続する出力単位等で実現されることも可能である。
制御部２３０は、電子装置２００の動作全般を制御する。
【００９２】
特に、制御部２３０は、ユーザ端末装置１００から、電子装置２００の基準音量単位に基づいてサウンドレベルの調整されたオーディオソースをストリーミング方式で受信して出力するように制御することができる。
【００９３】
一実施形態によると、制御部２３０はユーザ端末装置１００が電子装置２００の基準音量単位を決定することができるように、基準音量単位を決定する標準サウンドをユーザ端末装置１００に伝送することができる。ここで、標準サウンドは、ビープ音のように一定の音の大きさを有する音響であってよい。
【００９４】
具体的に、制御部２３０は、予め設定されたイベントが発生すると、標準サウンドをＵＤＰパケットのペイロード領域を用いて伝送するようにすることができる。ここで、予め設定されたイベントはＲＴＰパケット伝送のためのＲＴＰ通信接続の実行のために１バイトのＵＤＰパケットを伝送する場合であってよい。
別の実施形態によると、制御部２３０は予め保存された基準音響単位をユーザ端末装置１００に伝送することもできる。
【００９５】
更に別の実施形態によると、制御部２３０は電子装置２００の識別情報をユーザ端末装置１００に伝送することもできる。この場合、ユーザ端末装置１００は電子装置２００の識別情報にマッピングされる基準音量単位を予め保存していてよく、識別情報にマッピングされる基準音量単位を決定することができる。
【００９６】
上述のように、多様な実施形態によって、基準音量単位が決定されると、ユーザ端末装置１００は決定された基準音量単位に基づいてサウンドレベルが調整されて電子装置２００に伝送することができるようになる。
図６Ｂは、図６Ａに示すユーザ端末装置のようなユーザ端末装置の一実施形態に係る細部構成を示すブロック図である。
【００９７】
図６Ｂによると、電子装置２００は、通信部２１０と、オーディオ出力部２２０と、制御部２３０と、保存部２４０と、ディスプレイ部２５０と、ユーザインターフェース部２６０と、オーディオ処理部２７０及びビデオ処理部２８０を含む。
【００９８】
図６Ｂに示す構成要素のうち、図６Ａに示す構成要素と重複する部分については、詳細な説明を省略する。なお、図６Ｂに示す構成のうち、図２Ｂに示す構成と名称が同一の構成要素は大よそ同一の機能をするため、本発明に関連のない部分に対しては詳細な説明を省略する。
【００９９】
ただ、図６Ｂは、図２Ｂと同様に、電子装置２００に含まれた細部構成の一例を挙げたものであって、実施形態によっては、図６Ｂに示す構成要素のうちの一部は省略または変更されてよく、他の構成要素が更に追加されてよい。
【０１００】
通信部２１０は、多様な通信方式に応じてユーザ端末装置１００と通信を行う構成である。通信部２１０は、Ｗｉ−Ｆｉチップ２２１と、ブルートゥースチップ２１２と、無線通信チップ２１３及びＵＳＢチップ２１４等の多様な通信チップを含む。
【０１０１】
制御部２３０は、ＲＡＭ２３１、ＲＯＭ２３２、メインＣＰＵ２３３、グラフィック処理部２３４、第１ないし第ｎインターフェース２３５−１〜２３５−ｎ及びバス２３６を含んでよい。
【０１０２】
上述の制御部２３０の動作は、保存部２４０に保存されたプログラムによって行われてよい。保存部２４０は、電子装置２００を駆動させるためのＯ／Ｓ（Ｏｐｅｒａｔｉｎｇ  Ｓｙｓｔｅｍ）ソフトウェアモジュール、各種アプリケーション、アプリケーション実行中に入力されたり設定される各種データ、コンテンツ等のように多様なデータが保存されてよい。
【０１０３】
特に、本発明の一実施形態によって、保存部２４０は電子装置２００の基準音量単位が保存されてよい。その他に、保存部２４０に保存される多様なソフトウェアモジュールについては、図３に示す構成と同一であるため、詳細な説明は省略する。
【０１０４】
ディスプレイ部２５０は、画面をディスプレイする。例えば、ディスプレイ部２５０は、ユーザ端末装置１００からビデオソースがストリーミングされる場合、ストリーミングされるビデオソースの再生画面をディスプレイすることができる。
【０１０５】
ユーザインターフェース部２６０は、多様なユーザ命令を受信する。例えば、ユーザインターフェース部１７０は、電子装置２００と通信を行うためのユーザ命令、オーディオ出力部２２０を介して出力されるオーディオ信号の大きさを調整するためのユーザ命令等を受信することができる。
【０１０６】
オーディオ処理部２７０は、ユーザ端末装置１００から受信されたオーディオソースを処理する機能を担う。具体的に、受信されたオーディオソースに対するデコーディングや増幅、ノイズフィルタリング等のような処理を行うことができる。
【０１０７】
特に、オーディオ処理部２７０は、ユーザインターフェース部２６０を介して入力されたユーザ命令に応じてオーディオ出力部２２０を介して出力されるオーディオ信号の大きさを増幅処理することができる。それにより、オーディオ処理部２７０は、例えば、音響周波数を増幅するためのアンプ等を備えることができる。
【０１０８】
ビデオ処理部２８０は、ビデオデータに対する処理を行う構成要素である。例えば、ビデオ処理部２８０はユーザ端末装置１００からストリーミング方式で受信されたビデオデータに対するデコーディング、スケーリング、ノイズフィルタリング、フレームレート変換、解像度変換等のような多様なイメージ処理を行うことができる。
【０１０９】
一方、制御部２３０の細部構成及び保存部２４０に保存される多様なモジュールは図２Ｂに示すユーザ端末装置１００内の制御部１３０及び保存部２４０で説明した内容と類似するため、詳細な説明は省略する。
図７は、本発明の別の実施形態に係るコンテンツ共有システムの構成を説明するための図である。
図７に示すように、本発明はホームネットワークシステムでも適用可能である。
【０１１０】
図示のように、ユーザ端末装置１００で再生される動画コンテンツをデジタルテレビ２００−１のような別の機器で視聴しようとする場合、オーディオ信号の伝送において上述のような本発明が適用されてよい。
【０１１１】
すなわち、ユーザ端末装置１００は、デジタルテレビ２００−１の基準音量単位に基づいてオーディオ信号のサウンドレベルを調整してデジタルテレビ２００−１に伝送することができる。サウンドレベルを調整する具体的な方法については、図１ないし図６を参照して説明したような内容が適用されるため、詳細な説明は省略する。
図８は、本発明の一実施形態に係るユーザ端末装置の制御方法を説明するためのフローチャートである。
図８に示すユーザ端末装置１００の制御方法によると、まず、電子装置２００と通信を行う（Ｓ８１０）。
次いで、電子装置２００の基準音量単位に基づいてオーディオソースのサウンドレベルを調整する（Ｓ８２０）。
その後、サウンドレベルの調整されたオーディオソースを電子装置２００にストリーミングする（Ｓ８３０）。
【０１１２】
具体的に、ステップＳ８２０においては、電子装置２００から受信された標準サウンドのレベルを測定し、測定された測定値に基づいて基準音量単位を決定した後、決定された基準音量単位に基づいてオーディオソースのサウンドレベルを調整することができる。
【０１１３】
または、ステップＳ８２０においては、電子装置２００から伝送される基準音量単位を受信し、受信された基準音量単位に基づいてオーディオソースのサウンドレベルを調整することができる。この場合、電子装置２００は自分の基準音量単位を予め保存していてよい。
【０１１４】
または、ステップＳ８２０においては、電子装置２００から識別情報を受信し、識別情報にマッピングされる基準音量単位を検索した後、検索された基準音量単位に基づいてオーディオソースのサウンドレベルを調整することができる。この場合、ユーザ端末装置１００は、電子装置２００の識別情報に対応する基準音量単位を保存していることができる。
図９は、本発明の一実施形態に係る電子装置の制御方法を説明するためのフローチャートである。
図９に示す電子装置２００の制御方法によると、まず、ユーザ端末装置１００と通信を行う（Ｓ９１０）。
【０１１５】
次いで、ユーザ端末装置１００から電子装置２００の基準音量単位に基づいてサウンドレベルの調整されたオーディオソースをストリーミング方式で受信することができる（Ｓ９２０）。
その後、受信されたオーディオソースを出力する（Ｓ９３０）。
【０１１６】
なお、基準音量単位を決定する標準サウンドをユーザ端末装置１００に伝送することができる。この場合、ステップＳ９２０においては、標準サウンドの測定値に応じて決定された基準音量単位に基づいてサウンドレベルの調整されたオーディオソースを受信することができる。
この場合、オーディオソースはＲＴＰパケット形態で受信されてよく、標準サウンドはＵＤＰパケットを用いてユーザ端末装置１００に伝送されてよい。
【０１１７】
なお、電子装置２００が自分の基準音量単位を知っている場合、予め保存された標準サウンド伝送なしに基準音量単位をユーザ端末装置１００に伝送することができる。この場合、ステップＳ９２０においては、ユーザ端末装置１００に伝送した基準音量単位に基づいてサウンドレベルの調整されたオーディオソースを受信することができる。
【０１１８】
なお、ユーザ端末装置１００が電子装置１００の基準音量情報を知っている場合、電子装置２００の識別情報をユーザ端末装置１００に伝送することができる。この場合、ステップＳ９２０においては、識別情報によって決定された基準音量単位に基づいてサウンドレベルの調整されたオーディオソースを受信することができる。
図１０は、本発明の一実施形態に係るユーザ端末装置及び電子装置間の動作を説明するためのシーケンス図である。
【０１１９】
図１０は、本発明の一実施形態（図２で説明したi）の実施形態）による動作を説明するためのものであり、ii）及びiii）の実施形態による動作は具体的な説明は省略する。
【０１２０】
図１０によると、まず、ユーザ端末装置１００及び電子装置２００間の通信を行う（Ｓ１０１０）。ここで、通信は、Ｗｉ−Ｆｉ、ブルートゥース、３Ｇ／４Ｇ、ＵＳＢ等の多様な通信方式で行われてよい。
次いで、電子装置２００は基準音量単位を決定する標準サウンドをユーザ端末装置１００に伝送する（Ｓ１０２０）。
ユーザ端末装置１００は、受信された標準サウンドのレベルを測定し（Ｓ１０３０）、測定された測定値に基づいて基準音量単位を決定する（Ｓ１０４０）。
次いで、ユーザ端末装置１００は、決定された基準音量単位に基づいて電子装置２００に伝送するオーディオソースのサウンドレベルを調整する（Ｓ１０５０）。
【０１２１】
その後、ユーザ端末装置１００は、サウンドレベルの調整されたオーディオソースを電子装置２００にストリーミング方式で伝送し、電子装置２００はストリーミング方式で受信されたオーディオソースを出力するようになる（Ｓ１０７０）。
以上で説明したように、本発明によると、オーディオソース伝送後に更なる音量調整を避けることができるようになるため、ユーザの便宜性が向上する。
なお、オーディオソースをハイレベルでストリーミング方式で外部機器に伝送する際に発生し得るオーディオショックを防止することができるようになる。
一方、上述の多様な実施形態に係る制御方法は、プログラムで実現されてユーザ端末装置１００または電子装置２００に提供されてよい。
【０１２２】
一例として、電子装置と通信を行うステップと、電子装置の基準音量単位に基づいてオーディオソースのサウンドレベルを調整するステップと、サウンドレベルの調整されたオーディオソースをストリーミング方式で電子装置に伝送するステップとを含むプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１２３】
別の例として、ユーザ端末装置と通信を行うステップと、ユーザ端末装置から電子装置の基準音量単位に基づいてサウンドレベルの調整されたオーディオソースをストリーミング方式で受信するステップと、受信されたオーディオソースを出力するステップとを含むプログラムが保存された非一時的な読み取り可能な媒体が提供されてよい。
【０１２４】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１２５】
なお、ディスプレイ装置について示したブロック図では、バス（ｂｕｓ）を図示していないが、ディスプレイ装置で各構成要素間の通信はバスを通じて行われてよい。なお、ディスプレイ装置には、上述の多様なステップを行うＣＰＵ、マイクロプロセッサ等のようなプロセッサが更に含まれてよい。
【０１２６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１２７】
１００  ユーザ端末装置
１１０  通信部
１２０  オーディオ処理部
１３０  制御部
２００  電子装置
２１０  通信部
２２０  オーディオ出力部
２３０  制御部
【図１】
0006599232.tif 000002
【図２Ａ】
0006599232.tif 000003
【図２Ｂ】
0006599232.tif 000004
【図３】
0006599232.tif 000005
【図４】
0006599232.tif 000006
【図５】
0006599232.tif 000007
【図６Ａ】
0006599232.tif 000008
【図６Ｂ】
0006599232.tif 000009
【図７】
0006599232.tif 000010
【図８】
0006599232.tif 000011
【図９】
0006599232.tif 000012
【図１０】
0006599232.tif 000013